(57)【要約】【課題】  電気信号を増幅するアンプ装置において、消費電力モニタリング機能を備え、使用中の電力消費量の変動をリアルタイムで表示する。【解決手段】  消費電力モニタリング機能を備えたアンプ装置において、電気信号を増幅するアンプ回路と、アンプ回路に電力を供給するための電源回路に入力される電圧を設定または検出する電圧設定部または電圧検出部と、電源回路の出力電流を検出する電流検出部と、電圧設定部によって設定された入力電圧または電圧検出部によって検出された入力電圧と電流検出部が検出した出力電流を演算して消費電力を算出する演算処理部と、演算処理部が算出した消費電力を表示する表示部とを備える。【選択図】  図１
2015192255.tif 000002
【特許請求の範囲】
【請求項１】
電気信号を増幅するアンプ回路と、前記アンプ回路に電力を供給するための電源回路と、前記電源回路の入力電圧を設定する電圧設定部と、前記電源回路の出力電流を検出する電流検出部と、前記電圧設定部が設定した入力電圧と前記電流検出部が検出した出力電流を演算して消費電力を算出する演算処理部と、前記演算処理部が算出した消費電力を表示する表示部とを備えることを特徴とする消費電力モニタリング機能を備えたアンプ装置。
【請求項２】
電気信号を増幅するアンプ回路と、前記アンプ回路に電力を供給するための電源回路と、前記電源回路の入力電圧を検出する電圧検出部と、前記電源回路の出力電流を検出する電流検出部と、前記電圧検出部が検出した入力電圧と前記電流検出部が検出した出力電流を演算して消費電力を算出する演算処理部と、前記演算処理部が算出した消費電力を表示する表示部とを備えることを特徴とする消費電力モニタリング機能を備えたアンプ装置。
【請求項３】
請求項１または請求項２に記載の消費電力モニタリング機能を備えたアンプ装置であって、前記演算処理部は、前記入力電圧に対応する前記アンプ回路のアイドリング消費電力値を予め記憶し、前記アイドリング消費電力値を消費電力の演算に使用することを特徴とする消費電力モニタリング機能を備えたアンプ装置。
【請求項４】
請求項１から請求項３のいずれか一項に記載の消費電力モニタリング機能を備えたアンプ装置であって、前記演算処理部は、前記入力電圧に対応する前記アンプ回路以外の消費電力値を予め記憶し、前記アンプ回路以外の消費電力値を消費電力の演算に使用することを特徴とする消費電力モニタリング機能を備えたアンプ装置。
【発明の詳細な説明】
【技術分野】
【０００１】
本発明は、オーディオ信号等を増幅するアンプ装置に関し、消費電力を監視（モニタリング）する消費電力モニタリング機能を備えたアンプ装置に関する。
【背景技術】
【０００２】
オーディオ信号等の電気信号を増幅するアンプ装置に関して、低抵抗により電流を検出してスピーカへの出力状態を監視し、電流の異常値を検出したときスピーカの接続のオン／オフを切り換える制御をするものがあった（特許文献１）。
また、電気装置に関して、交流電源を直流に変換して出力するときの直流電流を検出して消費電力を演算するものがあった（特許文献２）。
【先行技術文献】
【特許文献】
【０００３】
【特許文献１】特開２０１１−２０５３６４号公報
【特許文献２】特開２０１０−２７９１０３号公報
【発明の概要】
【発明が解決しようとする課題】
【０００４】
現在、全世界で省エネルギーが求められている。しかし、昨今のアンプ装置では、再生・出力信号系統（チャンネル）の多チャンネル化、大出力化が、進められている。特に、ホームシアター等の用途で使用されるサラウンド再生システムやマルチルーム再生システムに対応するオーディオ再生を行うためのＡＶ(Audio and Visual)アンプ装置では、多チャンネル化と大出力化の両方が要求されることがある。
このようなアンプ装置の消費電力量は、再生チャンネル数、出力パワー、設置環境、接続機器、出力条件によって左右され、その設定によって大きく変化することもある。しかし、ユーザーが使用中に変動するアンプ装置の消費電力を監視するためのモニタリング機能は、従来、備えられていなかった。
【０００５】
多チャンネル化、大出力化が要求されるアンプ装置に関わる電源回路において、特許文献１のような、低抵抗により電流の異常値を検出する技術、特許文献２のような、出力直流電流による消費電力を演算する技術があったが、さまざまな設置環境に伴う入力電圧に対応し、使用中の消費電力の変動をリアルタイムでモニタリングするものではなかった。
【０００６】
本願発明は、アンプ装置において、消費電力モニタリング機能を備え、使用中に変動する消費電力をリアルタイムでモニタリングできるようにすることを目的とする。
【課題を解決するための手段】
【０００７】
本願発明に係る消費電力モニタリング機能を備えたアンプ装置は、電気信号を増幅するアンプ回路と、前記アンプ回路に電力を供給するための電源回路と、前記電源回路の入力電圧を設定する電圧設定部と、前記電源回路の出力電流を検出する電流検出部と、前記電圧設定部が設定した入力電圧と前記電流検出部が検出した出力電流を演算して消費電力を算出する演算処理部と、前記演算処理部が算出した消費電力を表示する表示部とを備えるものである。
【０００８】
また、本願発明に係る消費電力モニタリング機能を備えたアンプ装置は、電気信号を増幅するアンプ回路と、前記アンプ回路に電力を供給するための電源回路と、前記電源回路の入力電圧を検出する電圧検出部と、前記電源回路の出力電流を検出する電流検出部と、前記電圧検出部が検出した入力電圧と前記電流検出部が検出した出力電流を演算して消費電力を算出する演算処理部と、前記演算処理部が算出した消費電力を表示する表示部とを備えるものである。
【０００９】
また、本願発明に係る消費電力モニタリング機能を備えたアンプ装置は、前記演算処理部は、前記入力電圧に対応する前記アンプ回路のアイドリング消費電力値を予め記憶し、前記アイドリング消費電力値を消費電力の演算に使用するものである。
【００１０】
また、本願発明に係る消費電力モニタリング機能を備えたアンプ装置は、前記演算処理部は、前記入力電圧に対応する前記アンプ回路以外の消費電力値を予め記憶し、前記アンプ回路以外の消費電力値を消費電力の演算に使用するものである。
【発明の効果】
【００１１】
本発明の消費電力モニタリング機能を備えたアンプ装置によれば、電源の入力電圧に対応して消費電力を算出し、アンプ装置の使用中に変動する消費電力をリアルタイムでモニタリングすることができる。
【図面の簡単な説明】
【００１２】
【図１】本発明の消費電力モニタリング機能を備えたアンプ装置の第１の実施例の概略構成を示すブロック図である。
【図２】本発明の第１の実施例の消費電力モニタリング機能を備えたアンプ装置の他の概略構成を示すブロック図である。
【図３】本発明の第１の実施例の消費電力モニタリング機能を備えたアンプ装置の回路構成例を示すブロック図である。
【図４】本発明の第１の実施例の消費電力モニタリング機能を備えたアンプ装置に関し、アンプ回路以外の電源を含む構成例を示すブロック図である。
【図５】本発明の消費電力モニタリング機能を備えたアンプ装置の第２の実施例の概略構成を示すブロック図である。
【図６】本発明の第２の実施例の消費電力モニタリング機能を備えたアンプ装置の回路構成例を示すブロック図である。
【図７】本発明の第２の実施例の消費電力モニタリング機能を備えたアンプ装置に関し、アンプ回路以外の電源を含む構成例を示すブロック図である。
【発明を実施するための形態】
【００１３】
図１は、本発明の消費電力モニタリング機能を備えたアンプ装置の第１の実施例の概略構成を示すブロック図である。
第１の実施例において、電源回路１は、入力端子Ｉｎから入力される電源電圧を変圧、整流を行い平滑して、オーディオアンプ等のアンプ回路２へ電力を供給する。アンプ回路２は、電源回路１から供給された電力を用いて、入力端子Ｓ−ｉｎから入力されるオーディオ信号等の電気信号を増幅し、出力端子Ｓ−ｏｕｔに接続される外部のスピーカ機器等に出力する。
【００１４】
１次電源電圧設定部３は、電源回路１に入力される電源の電圧を設定するものであり、電源電圧の設定値は、制御・演算処理部(CPU (Central Processing Unit))５に出力される。例えば、アンプ装置を使用する地域等に応じて、使用されるＡＣ(Alternating Current)電源の電圧が、製造者、販売者等によって予め、１次電源電圧設定部に入力され、設定値として記憶される。
電流検出回路４は、電源回路１からアンプ回路２への出力電流を検出する。  電流検出回路４が検出した電流値は、制御・演算処理部５に入力され、制御・演算処理部５でディジタルデータに変換される。
【００１５】
制御・演算処理部５は、１次電源電圧設定値と電流検出回路４によって検出された出力電流値との演算を、消費電力の変動に対応するようリアルタイムで行い、消費電力を算出し、表示部６に出力する。また、制御・演算処理部５は、本アンプ装置各部の制御、表示部６の表示駆動制御を行う。
表示部６は、消費電力を表示するため、表示値の変化に敏感に反応できるディスプレイまたはアナログメータを備え、消費電力の変動に追従しながら、消費電力をリアルタイムで表示する。
【００１６】
図２は、第１の実施例の消費電力モニタリング機能を備えたアンプ装置の他の概略構成を示すブロック図である。図２に示す構成は、図１に示した１次電源電圧設定部３を、制御・演算処理部５内に１次電源電圧設定部５ａとして内蔵するように変更したものであり、その他の構成は、図１と共通である。１次電源電圧設定部５ａの設定値は、制御・演算処理部５の図示しない内部メモリに記憶される。
【００１７】
図３は、第１の実施例の消費電力モニタリング機能を備えたアンプ装置の回路構成例を示すブロック図である。図３において、図２と共通の構成要素には、同じ符号を付けて説明を省略する。電源回路１は、トランス１ａ、ダイオードブリッジ回路１ｂを備える。トランス１ａは、入力端子Ｉｎ１、Ｉｎ２から入力されるＡＣ電源電圧を変圧し、２次側巻線へ出力する。トランス１ａの２次側巻線は、中点がアース（ＧＮＤ）８に接続され、その＋側、−側は、それぞれ、ダイオードブリッジ回路１ｂに接続される。
【００１８】
２次側巻線から出力される電力は、ダイオードＤ１、Ｄ２、Ｄ３、Ｄ４を備えるダイオードブリッジ回路１ｂによって整流され、オーディオ信号等を増幅するアンプ回路用の電源として、＋電源線９、−電源線１０を経由して、アンプ回路２に供給される。ダイオードブリッジ回路１ｂから＋電力を出力する＋電源線９とＧＮＤ８との間には電解コンデンサＣ１が接続され、ダイオードブリッジ回路１ｂから−電力を出力する−電源線１０とＧＮＤ８との間には電解コンデンサＣ２が接続される。
【００１９】
アンプ回路２の電源ラインに電圧降下などの悪影響を及ぼさずに電流を検出するため、ブリッジ回路１ｂからアンプ回路２への＋電源線９に直列に、電流検出用の低抵抗Ｒ１が接続される。
電流検出回路４は、低抵抗Ｒ１の両端電圧により電流値を検出する。電流検出回路４が検出した低抵抗Ｒ１の両端電圧による電流値は、アンプ７によって増幅され、制御・演算処理部５に入力され、制御・演算処理部５でディジタルデータに変換される。
【００２０】
制御・演算処理部５には、１次電源電圧設定部５ａによって設定される１次電源電圧に対応した、アンプ回路２の待機（アイドリング）時の消費電力値Ａが、製造者によって予め入力され、制御・演算処理部５の図示しない内部メモリに記憶されて、制御・演算処理部５の演算処理に用いられる。
【００２１】
制御・演算処理部５は、次式（１）により、全消費電力を算出する。
Ｗ＝Ｉ×ｋ＋Ａ      ・・・（１）
Ｗ：トランス１ａの１次側の全消費電力
Ｉ：検出された出力電流値
ｋ：係数（設定された１次電源電圧において、１次側消費電力と出力電流値を予め実測して求めた係数）
Ａ：設定された１次電源電圧に対応するアンプ回路２のアイドリング時の消費電力値
【００２２】
ここで演算処理に用いられる係数ｋは、設定される１次電源電圧における１次側消費電力と電流検出回路４によって検出される出力電流を製造者が予め測定し、測定した１次側消費電力と出力電流の関係に基づいて、製造者によって求められる。この係数ｋは、制御・演算処理部５に予め入力され、制御・演算処理部５の図示しない内部メモリに記憶される。設定される１次電源電圧に対して、出力電流値の範囲によって１次側消費電力と検出電流値の関係が異なる場合には、それぞれの出力電流値の範囲に対応した係数ｋの値が、予め入力され記憶される。制御・演算処理部５は、予め記憶されていた複数の係数ｋから、１次電源電圧、検出された出力電流値の範囲の条件に対応した係数ｋを選択して演算処理に用いる。
【００２３】
製造者は、複数の１次電源電圧に対応する係数ｋ、アイドリング時の消費電力値Ａを、予め、制御・演算処理部５に入力し、制御・演算処理部５が、設定された１次電源電圧に対応したそれぞれの数値データを読み出して演算処理を行うように予めプログラミングしておくことにより、使用地域等に応じて１次電源電圧の設定を変更し、当該変更に対応した消費電力の算出処理を行うことができる。係数ｋ、消費電力値Ａは、制御・演算処理部５の内部メモリに、演算処理プログラム実行時に参照可能なＬＵＴ(LookUp Table)のデータ配列として予め記憶しておくことにより、演算処理に利用することができる。
【００２４】
また、アンプ装置内のアンプ回路２以外で電力を消費する回路等の構成要素がある場合には、そのようなアンプ回路２以外の構成要素の、１次電源電圧設定部５ａに設定される１次電源電圧に対応した消費電力値Ｂを、予め、制御・演算処理部５に入力しその内部メモリに記憶しておき、制御・演算処理部５が、上式（１）の演算結果に消費電力値Ｂを加算するように予めプログラミングしておくことにより、アンプ装置内の全消費電力の算出処理を行うことができ、表示部６に表示することができる。
【００２５】
図４は、本発明の第１の実施例の消費電力モニタリング機能を備えたアンプ装置に関し、アンプ回路以外の電源を含む構成例を示すブロック図である。
図４に示す構成は、図３のトランス１ａを、２次側に複数の巻線１２ａ１、１２ａ２を備えるトランス１２ａに置き換え、制御・演算処理部５内に消費電力情報設定部５ｂを設けたものであり、その他の構成は、図３と共通である。図４において、図３と共通の構成要素には、同じ符号を付けて説明を省略する。
【００２６】
図４において、電源回路１２は、トランス１２ａ、ダイオードブリッジ回路１２ｂを備える。トランス１２ａの２次側巻線１２ａ１から出力される電力は、ダイオードＤ１、Ｄ２、Ｄ３、Ｄ４を備えるダイオードブリッジ回路１２ｂによって整流され、オーディオ信号等を増幅するアンプ回路用の電源として、＋電源線９、−電源線１０を経由して、アンプ回路２に供給される。
【００２７】
トランス１２ａの２次側巻線１２ａ２から出力端子Ｏｕｔ３、Ｏｕｔ４に出力される電力は、アンプ装置内のアンプ回路２以外の各部、例えば、表示部６、図示しないアナログ／デジタルオーディオデバイス、図示しないデジタル／アナログビデオデバイス、図示しない装置内のリレーや各部の制御回路に供給される。
【００２８】
制御・演算処理部５は、消費電力情報設定部５ｂを備える。消費電力情報設定部５ｂは、消費電力情報の設定値を、制御・演算処理部５の図示しない内部メモリに、ＬＵＴデータとして記憶する。
制御・演算処理部５は、次式（２）により、全消費電力を算出する。
Ｗ＝Ｉ×ｋ＋Ａ＋Ｂ      ・・・（２）
Ｗ：トランス１２ａの１次側の全消費電力
Ｉ：検出された出力電流値
ｋ：係数（設定された１次電源電圧において、１次側消費電力と出力電流値を予め実測して求めた係数）
Ａ：設定された１次電源電圧に対応するアンプ回路２のアイドリング時の消費電力値
Ｂ：設定された１次電源電圧に対応する、２次側巻線１２ａ２から電力が供給されるアンプ装置内のアンプ回路２以外の消費電力値
【００２９】
ここで演算処理に用いられる係数ｋは、設定される１次電源電圧における１次側消費電力と電流検出回路４によって検出される出力電流を製造者が予め測定し、測定した１次側消費電力と出力電流の関係に基づいて、製造者によって求められる。この係数ｋは、制御・演算処理部５に予め入力され、制御・演算処理部５の図示しない内部メモリに記憶される。設定される１次電源電圧に対して、出力電流値の範囲によって１次側消費電力と出力電流の関係が異なる場合には、それぞれの出力電流値の範囲に対応した係数ｋの値が、予め入力され記憶される。制御・演算処理部５は、予め記憶されていた複数の係数ｋから、１次電源電圧、検出された出力電流値の範囲の条件に対応した係数ｋを選択して演算処理に用いる。
【００３０】
製造者は、複数の１次電源電圧に対応する係数ｋ、アイドリング時の消費電力値Ａを、予め、制御・演算処理部５に入力し、２次側巻線１２ａ２から出力される電源電圧による、アンプ回路２以外の消費電力値Ｂを、予め消費電力情報設定部５ｂに入力し、それぞれ、設定値として内部メモリに記憶しておき、制御・演算処理部５が、設定された１次電源電圧に対応したそれぞれの数値データを読み出して演算処理を行うように予めプログラミングしておくことにより、使用地域等に応じて１次電源電圧の設定を変更し、当該変更に対応した消費電力の算出処理を行うことができる。係数ｋ、消費電力値Ａ、Ｂは、制御・演算処理部５の内部メモリに、演算処理プログラム実行時に参照可能なＬＵＴのデータ配列として予め記憶しておくことにより、演算処理に利用することができる。
【００３１】
以上のように、第１の実施例の消費電力モニタリング機能を備えたアンプ装置によれば、１次電源電圧を設定し消費電力の算出に用いるので、１次電源電圧に対応した消費電力の算出処理を行うことができる。例えば、使用地域の変更に応じて１次電源電圧の変更を要する場合にも、第１の実施例のアンプ装置によれば、１次電源電圧の設定を変更し、当該変更に対応した設定値により消費電力の算出処理を行うことができる。
【００３２】
図５は、本発明の消費電力モニタリング機能を備えたアンプ装置の第２の実施例の構成を示すブロック図である。
第２の実施例において、電源回路１は、入力端子Ｉｎから入力される電源電圧を変圧、整流を行い平滑して、オーディオアンプ等のアンプ回路２へ電力を供給する。アンプ回路２は、電源回路１から供給された電力を用いて、入力端子Ｓ−ｉｎから入力されるオーディオ信号等の電気信号を増幅し、出力端子Ｓ−ｏｕｔに接続される外部のスピーカ等の機器に出力する。
【００３３】
１次電源電圧検出部１１は、電源回路１に入力されるＡＣ電源の電圧を検出し、制御・演算処理部(CPU)５へ出力する。
電流検出回路４は、電源回路１からアンプ回路２への出力電流を検出する。電流検出回路４が検出した電流値は、制御・演算処理部５に入力され、制御・演算処理部５でディジタルデータに変換される。
【００３４】
制御・演算処理部５は、１次電源電圧の検出値と電流検出回路４によって検出された出力電流値との演算を、消費電力の変動に対応するようリアルタイムで行い、消費電力を算出し、表示部６に出力する。また、制御・演算処理部５は、本アンプ装置各部の制御、表示部６の表示駆動制御を行う。
表示部６は、消費電力を表示するため、表示値の変化に敏感に反応できるディスプレイまたはアナログメータを備え、消費電力の変動に追従しながら、消費電力をリアルタイムで表示する。
【００３５】
図６は、第２の実施例の消費電力モニタリング機能を備えたアンプ装置の回路構成例を示すブロック図である。図６において、図５と共通の構成要素には、同じ符号を付けて説明を省略する。
電源回路１は、トランス１ａ、ダイオードブリッジ回路１ｂを備える。トランス１ａは、入力端子Ｉｎ１、Ｉｎ２から入力されるＡＣ電源電圧を変圧し、２次側巻線へ出力する。トランス１ａの２次側巻線は、中点がアース（ＧＮＤ）８に接続され、その＋側、−側は、それぞれ、ダイオードブリッジ回路１ｂに接続される。
【００３６】
２次側巻線から出力される電力は、ダイオードＤ１、Ｄ２、Ｄ３、Ｄ４を備えるダイオードブリッジ回路１ｂによって整流され、オーディオ信号等を増幅するアンプ回路用の電源として、＋電源線９、−電源線１０を経由して、アンプ回路２に供給される。ダイオードブリッジ回路１ｂから＋電力を出力する＋電源線９とＧＮＤ８との間には電解コンデンサＣ１が接続され、ダイオードブリッジ回路１ｂから−電力を出力する−電源線１０とＧＮＤ８との間には電解コンデンサＣ２が接続される。
【００３７】
アンプ回路２の電源ラインに電圧降下などの悪影響を及ぼさずに電流を検出するため、ブリッジ回路１ｂからアンプ回路２への＋電源線９に直列に、電流検出用の低抵抗Ｒ１が接続される。
電流検出回路４は、低抵抗Ｒ１の両端電圧により電流値を検出する。電流検出回路４が検出した低抵抗Ｒ１の両端電圧による電流値は、アンプ７によって増幅され、制御・演算処理部５に入力され、制御・演算処理部５でディジタルデータに変換される。
【００３８】
制御・演算処理部５には、検出されうる１次電源電圧に対応した、アンプ回路２の待機（アイドリング）時の消費電力が、製造者によって予め入力され、制御・演算処理部５の図示しない内部メモリに記憶されて、制御・演算処理部５の演算処理に用いられる。
【００３９】
制御・演算処理部５は、次式（３）により、全消費電力を算出する。
Ｗ＝Ｉ×ｋ＋Ｃ      ・・・（３）
Ｗ：トランス１ａの１次側の全消費電力
Ｉ：検出された出力電流値
ｋ：係数（検出された１次電源電圧において、１次側消費電力と出力電流値を予め実測して求めた係数）
Ｃ：検出された１次電源電圧に対応するアンプ回路２のアイドリング時の消費電力値
【００４０】
ここで演算処理に用いられる係数ｋは、検出されうる１次電源電圧における１次側消費電力と電流検出回路４によって検出される出力電流を製造者が予め測定し、測定した１次側消費電力と出力電流の関係に基づいて、製造者によって求められる。この係数ｋは、制御・演算処理部５に予め入力され、制御・演算処理部５の図示しない内部メモリに記憶される。検出されうる１次電源電圧に対して、出力電流値の範囲によって１次側消費電力と出力電流値の関係（係数ｋ）が異なる場合には、それぞれの出力電流値の範囲に対応した係数ｋの値が、予め入力され記憶される。制御・演算処理部５は、予め記憶されていた複数の係数ｋから、１次電源電圧、検出された出力電流値の範囲の条件に対応した係数ｋを選択して演算処理に用いる。係数ｋ、消費電力値Ｃは、制御・演算処理部５の内部メモリに、演算処理プログラム実行時に参照可能なＬＵＴのデータ配列として予め記憶しておくことにより、演算処理に利用することができる。
【００４１】
製造者は、複数の１次電源電圧に対応する係数ｋ、アイドリング時の消費電力値Ｃを、予め、制御・演算処理部５に入力し、制御・演算処理部５が、１次電源電圧検出部１１によって検出された１次電源電圧に対応したそれぞれの数値データを読み出して演算処理を行うように予めプログラミングしておくことにより、１次電源電圧の変更や変動に対応した消費電力の算出処理を行うことができる。
【００４２】
また、アンプ装置内のアンプ回路２以外で電力が消費される回路等の構成要素がある場合には、そのような構成要素の、検出されうる１次電源電圧に対応した消費電力値Ｄを、予め、制御・演算処理部５に入力しその内部メモリに記憶しておき、制御・演算処理部５が、上式（３）の演算結果に消費電力値Ｄを加算するように予めプログラミングしておくことにより、アンプ装置内の全消費電力の算出処理を行うことができ、表示部６に表示することができる。
【００４３】
図７は、本発明の第２の実施例の消費電力モニタリング機能を備えたアンプ装置に関し、アンプ回路以外の電源を含む構成例を示すブロック図である。
図７に示す構成は、図６のトランス１ａを、２次側に複数の巻線１２ａ１、１２ａ２を備えるトランス１２ａに置き換え、制御・演算処理部５内に消費電力情報設定部５ｂを設けたものであり、その他の構成は、図６と共通である。図７において、図６と共通の構成要素には、同じ符号を付けて説明を省略する。
【００４４】
図７において、電源回路１２は、トランス１２ａ、ダイオードブリッジ回路１２ｂを備える。トランス１２ａの２次側巻線１２ａ１から出力される電力は、ダイオードＤ１、Ｄ２、Ｄ３、Ｄ４を備えるダイオードブリッジ回路１２ｂによって整流され、オーディオ信号等を増幅するアンプ回路用の電源として、＋電源線９、−電源線１０を経由して、アンプ回路２に供給される。
【００４５】
トランス１２ａの２次側巻線１２ａ２から出力端子Ｏｕｔ３、Ｏｕｔ４に出力される電力は、アンプ装置内のアンプ回路２以外の各部、例えば、表示部６、図示しないアナログ／デジタルオーディオデバイス、図示しないデジタル／アナログビデオデバイス、図示しない装置内のリレーや各部の制御回路に供給される。
【００４６】
制御・演算処理部５は、消費電力情報設定部５ｂを備える。消費電力情報設定部５ｂは、消費電力情報の設定値を、制御・演算処理部５の図示しない内部メモリに、ＬＵＴのデータ配列として記憶する。
制御・演算処理部５は、次式（４）により、全消費電力を算出する。
Ｗ＝Ｉ×ｋ＋Ｃ＋Ｄ      ・・・（４）
Ｗ：トランス１２ａの１次側の全消費電力
Ｉ：検出された出力電流値
ｋ：係数（検出された１次電源電圧において、１次側消費電力と出力電流値を予め実測して求めた係数）
Ｃ：検出された１次電源電圧に対応するアンプ回路２のアイドリング時の消費電力値
Ｄ：検出された１次電源電圧に対応する、２次側巻線１２ａ２から電力が供給されるアンプ装置内のアンプ回路２以外の消費電力値
【００４７】
ここで演算処理に用いられる係数ｋは、検出されうる１次電源電圧における１次側消費電力と電流検出回路４によって検出される出力電流を製造者が予め測定し、測定した１次側消費電力と出力電流の関係に基づいて、製造者によって求められる。この係数ｋは、制御・演算処理部５に予め入力され、制御・演算処理部５の図示しない内部メモリに記憶される。検出されうる１次電源電圧に対して、出力電流値の範囲によって１次側消費電力と出力電流値の関係（係数ｋ）が異なる場合には、それぞれの出力電流値の範囲に対応した係数ｋの値が、予め入力され記憶される。制御・演算処理部５は、予め記憶されていた複数の係数ｋから、１次電源電圧、検出された出力電流値の範囲の条件に対応した係数ｋを選択して演算処理に用いる。係数ｋ、消費電力値Ｃ、Ｄは、制御・演算処理部５の内部メモリに、演算処理プログラム実行時に参照可能なＬＵＴのデータ配列として予め記憶しておくことにより、演算処理に利用することができる。
【００４８】
製造者は、複数の１次電源電圧に対応する係数ｋ、アイドリング時の消費電力値Ｃを、予め、制御・演算処理部５に入力しておき、２次側トランス１２ａ２から出力される電力による、アンプ回路２以外の消費電力値Ｄを、予め消費電力情報設定部５ｂに入力し設定値として内部メモリに記憶しておき、制御・演算処理部５が、設定された１次電源電圧に対応したそれぞれの数値データを読み出して演算処理を行うように予めプログラミングしておくことにより、１次電源電圧の変更や変動に対応した消費電力の算出処理を行うことができる。
【００４９】
以上、第２の実施例の消費電力モニタリング機能を備えたアンプ装置によれば、１次電源電圧を検出し消費電力の算出に用いるので、１次電源電圧の変更、変動に対応した消費電力の算出処理を行うことができる。例えば、使用中の１次電源電圧の変動にも対応した消費電力の算出処理を行うことができる。
【００５０】
本実施形態の消費電力モニタリング機能を備えたアンプ装置によれば、制御・演算処理部５が、出力電流を計測し消費電力を算出しリアルタイムで表示部６に出力し表示することによって、ユーザーは、使用中の消費電力をモニタリングすることができる。制御・演算処理部５によって算出された消費電力は、大出力時に電流の流れるパワートランジスタやパワートランスを保護する用途、例えば、保護回路、発熱するデバイスの冷却、空冷ファン、電源等の制御に、利用することもできる。
【００５１】
本実施形態の消費電力モニタリング機能を備えたアンプ装置によれば、制御・演算処理部５で実行するソフトウェアのプログラム構成によって、消費電力の算出値や処理時間・表示時間を調整することができ、用途に応じた方法や形態でモニタリング表示することができる。
【００５２】
本実施形態の消費電力モニタリング機能を備えたアンプ装置によれば、アンプ回路の電源線に直列に低抵抗を実装することで、アンプ回路のチャンネル数に依存せず、部品数が少なく、オーディオ信号であれば音質への影響を最小限として、出力電流を検出することができる。
【００５３】
本実施形態の消費電力モニタリング機能を備えたアンプ装置によれば、ＡＶアンプ等の消費電力をモニタリングするため、１次電源電圧を反映させた演算処理を行い、アンプ装置の使用中にリアルタイムで表示する構成として、アンプ装置のチャンネル数に依存せず、ユーザーが、使用中に消費電力の変動を監視することができる。
【符号の説明】
【００５４】
１、１２  電源回路
２  アンプ回路
１ａ、１２ａ  トランス
１ｂ、１２ｂ  ブリッジ回路
３、５ａ  １次電源電圧設定部
４  電流検出回路
５  制御・演算処理部(CPU)
５ｂ  消費電力情報設定部
６  表示部
７  アンプ
８  ＧＮＤ
９  ＋電源線
１０  −電源線
１１  １次電源電圧検出部
Ｉｎ、Ｉｎ１、Ｉｎ２、Ｓ−ｉｎ  入力端子
Ｓ−ｏｕｔ、Ｏｕｔ３、Ｏｕｔ４  出力端子
Ｄ１、Ｄ２、Ｄ３、Ｄ４  ダイオード
Ｃ１、Ｃ２  電解コンデンサ
Ｒ１  電流検出用の低抵抗
【図１】
2015192255.tif 000003
【図２】
2015192255.tif 000004
【図３】
2015192255.tif 000005
【図４】
2015192255.tif 000006
【図５】
2015192255.tif 000007
【図６】
2015192255.tif 000008
【図７】
2015192255.tif 000009